【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
ドア回動軸（２６１ａ、２６１ｂ）、および、そのドア回動軸の中心から径方向（ＤＲｒｄ）外側へ所定量離れた位置にてそのドア回動軸と一体に回転する外周ドア部（２６３）を有しているロータリドア（２６）と、
前記ドア回動軸の径方向での前記外周ドア部に対する外側に配置され前記ロータリドアによって開閉され空気が吹き出す第１開口部（２１）、および、その第１開口部を仕切ることにより、前記ドア回動軸の軸方向（ＤＲａｘ）に並ぶ第１空気吹出口（２１ａ）と第２空気吹出口（２１ｂ、２１ｃ）とを形成する仕切部（１１１ａ、１１１ｂ）を有し、前記第１開口部へと空気が流れる空気通路（２７）が形成され、前記ロータリドアを収容しているケース（１１）とを備え、
前記仕切部は、前記径方向において内側へ突き出た仕切リブ（１１１ｃ、１１１ｄ）を有し、その仕切リブは、前記ドア回動軸の周方向（ＤＲｃｒ）へ延びるリブ先端部（１１１ｅ、１１１ｆ）を有し、
前記ロータリドアは、前記外周ドア部に対しその外周側に固定され弾力性を有し前記外周ドア部と前記仕切リブとの間に挟まれた仕切シール部材（２６９ａ、２６９ｂ）を有し、
その仕切シール部材は、前記リブ先端部に対して前記径方向に押し当てられており、前記ドア回動軸を中心とした前記ロータリドアの回動と共に前記リブ先端部に対して摺動することを特徴とする空調ユニット。
【請求項２】
前記仕切シール部材は、前記径方向の外側へ膨らんだ湾曲形状を成すように前記外周ドア部に貼り付けられており、前記ロータリドアが回動しても前記リブ先端部に対し前記径方向の内側へ離れた状態を維持する非摺動部（２６９ｆ、２６９ｇ）を前記周方向における一端に有し、
前記ロータリドアは、前記外周ドア部から延設され前記非摺動部が前記外周ドア部から剥がれることを防ぐためのストッパ（２６３ｃ、２６３ｄ）を有し、
そのストッパは、前記外周ドア部に貼り付けられている前記非摺動部の貼付面（２６９ｈ）側とはその非摺動部を挟んだ反対側に配置されていることを特徴とする請求項１に記載の空調ユニット。
【請求項３】
前記外周ドア部は、前記外周ドア部に貼り付けられている前記非摺動部を局所的に窪ませる凸部（２６３ｅ、２６３ｆ）を有していることを特徴とする請求項２に記載の空調ユニット。
【請求項４】
ドア回動軸（２６１ａ、２６１ｂ）、および、そのドア回動軸の中心から径方向（ＤＲｒｄ）外側へ所定量離れた位置にてそのドア回動軸と一体に回転する外周ドア部（２６３）を有しているロータリドア（２６）と、
前記ドア回動軸の径方向での前記外周ドア部に対する外側に配置され前記ロータリドアによって開閉され空気が吹き出す第１開口部（２１）、および、その第１開口部を仕切ることにより、前記ドア回動軸の軸方向（ＤＲａｘ）に並ぶ第１空気吹出口（２１ａ）と第２空気吹出口（２１ｂ、２１ｃ）とを形成する仕切部（１１１ａ、１１１ｂ）を有し、前記第１開口部へと空気が流れる空気通路（２７）が形成され、前記ロータリドアを収容しているケース（１１）とを備え、
前記仕切部は、前記径方向において内側へ突き出た仕切リブ（１１１ｃ、１１１ｄ）を有し、その仕切リブは、前記ドア回動軸の周方向（ＤＲｃｒ）へ延びるリブ先端部（１１１ｅ、１１１ｆ）を有し、
前記ロータリドアは、前記外周ドア部に対しその外周側に固定され弾力性を有し前記外周ドア部と前記仕切リブとの間に挟まれた仕切シール部材（２６９ａ、２６９ｂ）を有し、
その仕切シール部材は、前記リブ先端部に対して前記径方向に押し当てられており、前記ドア回動軸を中心とした前記ロータリドアの回動と共に前記リブ先端部に対して摺動し、
更に、前記仕切シール部材は、前記径方向の外側へ膨らんだ湾曲形状を成すように前記外周ドア部に貼り付けられており、前記ロータリドアが回動しても前記リブ先端部に対し前記径方向の内側へ離れた状態を維持する非摺動部（２６９ｆ、２６９ｇ）を前記周方向における一端に有し、
前記ロータリドアは、前記外周ドア部から延設され前記非摺動部が前記外周ドア部から剥がれることを防ぐためのストッパ（２６３ｃ、２６３ｄ）を有し、
そのストッパは、前記外周ドア部に貼り付けられている前記非摺動部の貼付面（２６９ｈ）側とはその非摺動部を挟んだ反対側に配置され、且つその非摺動部に接しており、
前記外周ドア部は、前記外周ドア部に貼り付けられている前記非摺動部を局所的に窪ませる凸部（２６３ｅ、２６３ｆ）を有していることを特徴とする空調ユニット。
【請求項５】
前記ケースは、前記周方向において前記第１開口部と並んで配置され空気が吹き出す第２開口部（２０）と、前記第１開口部と前記第２開口部との境界部分に設けられたシール押付部（１１５）とを有し、
前記ロータリドアは、前記周方向における前記外周ドア部の縁部に形成された鍔状の第１鍔状部（２６６ａ）および第２鍔状部（２６６ｂ、２６６ｃ）と、前記第１鍔状部に固定され弾力性を有する第１シール部材（２６７ａ）と、前記第２鍔状部に固定され弾力性を有する第２シール部材（２６７ｂ、２６７ｃ）とを有し、前記第１空気吹出口を開放する一方で前記第２開口部を閉じる第１回動位置と、前記第１空気吹出口を閉じる一方で前記第２開口部を開放する第２回動位置とに位置決めされるように回動され、
前記第１鍔状部および前記第２鍔状部は、前記軸方向へ延びるように形成されると共にその軸方向へ互いに並んで配置され、前記仕切リブが挿通される挿通溝（２６８ａ、２６８ｂ）を前記第１鍔状部と前記第２鍔状部との間に形成し、
前記シール押付部に対しては、前記ロータリドアが前記第２回動位置から前記第１回動位置へ回動されたときに、前記第１シール部材と前記第２シール部材とが前記第１開口部側から前記周方向に押し付けられ、
前記シール押付部には、前記軸方向における前記第１鍔状部の前記挿通溝側の端部（２６６ｒ、２６６ｖ）が前記第１シール部材を介して押し付けられる第１押付面（１１５ａ、１１５ｃ）と、前記第２鍔状部の前記挿通溝側の端部（２６６ｓ、２６６ｗ）が前記第２シール部材を介して押し付けられる第２押付面（１１５ｂ、１１５ｄ）とが形成されており、
前記第１押付面および前記第２押付面は、前記径方向から見たときに、前記周方向に対して傾斜し且つ前記仕切リブから離れる方向を向くように形成されていることを特徴とする請求項１ないし４のいずれか１つに記載の空調ユニット。
【請求項６】
ドア回動軸（２６１ａ、２６１ｂ）、および、そのドア回動軸の中心から径方向（ＤＲｒｄ）外側へ所定量離れた位置にてそのドア回動軸と一体に回転する外周ドア部（２６３）を有しているロータリドア（２６）と、
前記ドア回動軸の径方向での前記外周ドア部に対する外側に配置され前記ロータリドアによって開閉され空気が吹き出す第１開口部（２１）、および、その第１開口部を仕切ることにより、前記ドア回動軸の軸方向（ＤＲａｘ）に並ぶ第１空気吹出口（２１ａ）と第２空気吹出口（２１ｂ、２１ｃ）とを形成する仕切部（１１１ａ、１１１ｂ）を有し、前記第１開口部へと空気が流れる空気通路（２７）が形成され、前記ロータリドアを収容しているケース（１１）とを備え、
前記仕切部は、前記径方向において内側へ突き出た仕切リブ（１１１ｃ、１１１ｄ）を有し、その仕切リブは、前記ドア回動軸の周方向（ＤＲｃｒ）へ延びるリブ先端部（１１１ｅ、１１１ｆ）を有し、
前記ロータリドアは、前記外周ドア部に対しその外周側に固定され弾力性を有し前記外周ドア部と前記仕切リブとの間に挟まれた仕切シール部材（２６９ａ、２６９ｂ）を有し、
その仕切シール部材は、前記リブ先端部に対して前記径方向に押し当てられており、前記ドア回動軸を中心とした前記ロータリドアの回動と共に前記リブ先端部に対して摺動し、
前記ケースは、前記周方向において前記第１開口部と並んで配置され空気が吹き出す第２開口部（２０）と、前記第１開口部と前記第２開口部との境界部分に設けられたシール押付部（１１５）とを有し、
更に、前記ロータリドアは、前記周方向における前記外周ドア部の縁部に形成された鍔状の第１鍔状部（２６６ａ）および第２鍔状部（２６６ｂ、２６６ｃ）と、前記第１鍔状部に固定され弾力性を有する第１シール部材（２６７ａ）と、前記第２鍔状部に固定され弾力性を有する第２シール部材（２６７ｂ、２６７ｃ）とを有し、前記第１空気吹出口を開放する一方で前記第２開口部を閉じる第１回動位置と、前記第１空気吹出口を閉じる一方で前記第２開口部を開放する第２回動位置とに位置決めされるように回動され、
前記第１鍔状部および前記第２鍔状部は、前記軸方向へ延びるように形成されると共にその軸方向へ互いに並んで配置され、前記仕切リブが挿通される挿通溝（２６８ａ、２６８ｂ）を前記第１鍔状部と前記第２鍔状部との間に形成し、
前記シール押付部に対しては、前記ロータリドアが前記第２回動位置から前記第１回動位置へ回動されたときに、前記第１シール部材と前記第２シール部材とが前記第１開口部側から前記周方向に押し付けられ、
前記シール押付部には、前記軸方向における前記第１鍔状部の前記挿通溝側の端部（２６６ｒ、２６６ｖ）が前記第１シール部材を介して押し付けられる第１押付面（１１５ａ、１１５ｃ）と、前記第２鍔状部の前記挿通溝側の端部（２６６ｓ、２６６ｗ）が前記第２シール部材を介して押し付けられる第２押付面（１１５ｂ、１１５ｄ）とが形成されており、
前記第１押付面および前記第２押付面は、前記径方向から見たときに、前記周方向に対して傾斜し且つ前記仕切リブから離れる方向を向くように形成されていることを特徴とする空調ユニット。
【請求項７】
前記第１シール部材は、前記第１鍔状部の一方の面（２６６ｇ）から他方の面（２６６ｈ）へ前記挿通溝を通って回り込むようにして前記第１鍔状部へ貼り付けられていることを特徴とする請求項５または６に記載の空調ユニット。
【請求項８】
前記第１鍔状部の前記端部は、その第１鍔状部の中で前記周方向に膨らんだ形状を成していることを特徴とする請求項７に記載の空調ユニット。
【請求項９】
前記第１鍔状部の前記端部は、前記周方向において前記シール押付部側へ膨らんでおり、
前記シール押付部には、前記第１鍔状部の端部の膨らみに合わせて凹み（１１５ｈ、１１５ｊ）が形成されていることを特徴とする請求項８に記載の空調ユニット。
【請求項１０】
前記第２シール部材は、前記第２鍔状部の一方の面（２６６ｉ、２６６ｋ）から他方の面（２６６ｊ、２６６ｍ）へ前記挿通溝を通って回り込むようにして前記第２鍔状部へ貼り付けられていることを特徴とする請求項５ないし９のいずれか１つに記載の空調ユニット。
【請求項１１】
前記第２鍔状部の前記端部は、その第２鍔状部の中で前記周方向に膨らんだ形状を成していることを特徴とする請求項１０に記載の空調ユニット。
【請求項１２】
前記第２鍔状部の前記端部は、前記周方向において前記シール押付部側へ膨らんでおり、
前記シール押付部には、前記第２鍔状部の端部の膨らみに合わせて凹み（１１５ｉ、１１５ｋ）が形成されていることを特徴とする請求項１１に記載の空調ユニット。
【請求項１３】
前記第１押付面および前記第２押付面は、前記径方向から見たときに、前記仕切リブを挟んで対称的に配置されていることを特徴とする請求項５ないし１２のいずれか１つに記載の空調ユニット。
【請求項１４】
前記第１鍔状部の前記端部は、前記第１押付面に対向するように形成された第１対向面（２６６ｔ）を有し、
前記第２鍔状部の前記端部は、前記第２押付面に対向するように形成された第２対向面（２６６ｕ）を有していることを特徴とする請求項５ないし１３のいずれか１つに記載の空調ユニット。
【請求項１５】
前記仕切シール部材は、前記仕切リブと摺動する側の表面（２６９ｄ）を形成する樹脂フィルム（２６９ｅ）を有していることを特徴とする請求項１ないし１４のいずれか１つに記載の空調ユニット。
【請求項１６】
ドア回動軸（２６１ａ、２６１ｂ）、および、そのドア回動軸の中心から径方向（ＤＲｒｄ）外側へ所定量離れた位置にてそのドア回動軸と一体に回転する外周ドア部（２６３）を有しているロータリドア（２６）と、
前記ドア回動軸の径方向での前記外周ドア部に対する外側に配置され前記ロータリドアによって開閉され空気が吹き出す第１開口部（２１）、および、その第１開口部を仕切ることにより、前記ドア回動軸の軸方向（ＤＲａｘ）に並ぶ第１空気吹出口（２１ａ）と第２空気吹出口（２１ｂ、２１ｃ）とを形成する仕切部（１１１ａ、１１１ｂ）を有し、前記第１開口部へと空気が流れる空気通路（２７）が形成され、前記ロータリドアを収容しているケース（１１）とを備え、
前記仕切部は、前記径方向において内側へ突き出た仕切リブ（１１１ｃ、１１１ｄ）を有し、その仕切リブは、前記ドア回動軸の周方向（ＤＲｃｒ）へ延びるリブ先端部（１１１ｅ、１１１ｆ）を有し、
前記ロータリドアは、前記外周ドア部に対しその外周側に固定され弾力性を有し前記外周ドア部と前記仕切リブとの間に挟まれた仕切シール部材（２６９ａ、２６９ｂ）を有し、
その仕切シール部材は、
前記リブ先端部に対して前記径方向に押し当てられており、前記ドア回動軸を中心とした前記ロータリドアの回動と共に前記リブ先端部に対して摺動し、
前記仕切リブと摺動する側の表面（２６９ｄ）を形成する樹脂フィルム（２６９ｅ）と、その樹脂フィルムに対し前記表面側とは反対側に設けられその樹脂フィルムに層状に貼り合わされると共に発泡ウレタンで構成された弾性基材（２６９ｃ）とを有していることを特徴とする空調ユニット。
【請求項１７】
前記樹脂フィルムは、ポリエチレンテレフタレートまたはポリカーボネートから構成されていることを特徴とする請求項１５または１６に記載の空調ユニット。
【請求項１８】
前記樹脂フィルムにおいて前記仕切リブが摺動する部位には、前記仕切リブの摺動方向に延びたスリット（２６９ｉ、２６９ｊ）が設けられていることを特徴とする請求項１５ないし１７のいずれか１つに記載の空調ユニット。
【請求項１９】
前記外周ドア部のうち前記仕切シール部材が固定されているシール固定部（２６３ａ、２６３ｂ）において前記リブ先端部に対し前記仕切シール部材を挟んで前記径方向に対向する部位には、前記仕切リブの摺動方向に延びた溝（２６３ｇ、２６３ｈ）が設けられていることを特徴とする請求項１５ないし１８のいずれか１つに記載の空調ユニット。
【請求項２０】
前記非摺動部には、前記樹脂フィルムが局所的に破断している破断部（２６９ｋ、２６９ｍ）が設けられていることを特徴とする請求項１５ないし１９のいずれか１つに記載の空調ユニット。
【請求項２１】
前記外周ドア部は、その外周ドア部において前記径方向の内側に形成された内向き面（２６３ｉ）を有し、その内向き面は平面的に構成されていることを特徴とする請求項１ないし２０のいずれか１つに記載の空調ユニット。